(57)【要約】【課題】フィルターを洗浄する機能を有する換気装置において、フィルター洗浄の工程に異常が発生した場合には使用者に音声で報知することで使い勝手の良い換気装置を提供する。【解決手段】フィルターを洗浄する洗浄手段１４と、換気装置と前記洗浄手段１４を制御する制御手段１５とを備え、前記制御手段１５は、あらかじめ記憶された音声信号を出力する音声発生手段２０と、前記音声信号を増幅する音声増幅手段２１と、増幅された音声を出力する音声出力手段２２と、使用者に伝達すべき案内があることを表示する音声案内表示手段２３と、音声発音操作を行う音声案内操作手段２４とを備え、前記洗浄手段１４の異常を判断した場合には、前記音声案内表示手段２３に表示を行い、前記音声案内操作手段２４の操作にて前記音声発生手段２０から音声信号を出力し前記音声増幅手段２１を通して増幅された信号が前記音声出力手段２２により音声となり報知する。【選択図】図２
2010139086.tif 000002
【特許請求の範囲】
【請求項１】
厨房に設置される換気装置と、この換気装置の本体内に設置される油煙を取り除くフィルターと、前記フィルターを洗浄する洗浄手段と、前記換気装置と前記洗浄手段を制御する制御手段とを備え、前記制御手段は、あらかじめ記憶された音声信号を出力する音声発生手段と、前記音声信号を増幅する音声増幅手段と、増幅された音声を出力する音声出力手段と、使用者に伝達すべき案内があることを表示する音声案内表示手段と、音声発音操作を行う音声案内操作手段とを備え、前記洗浄手段の異常を判断した場合には、前記音声案内表示手段に表示を行い、前記音声案内操作手段の操作にて前記音声発生手段から音声信号を出力し前記音声増幅手段を通して増幅された信号が前記音声出力手段により音声となり報知する換気装置。
【請求項２】
洗浄運転工程の進捗状況を音声で報知する制御手段を備えた請求項１に記載の換気装置。
【請求項３】
音声案内の音量を設定するための音量設定手段を備えた請求項１、２に記載の換気装置。
【請求項４】
音声案内を切に設定するための音量設定切手段を備えた請求項１から３のいずれかに記載の換気装置。
【請求項５】
音声案内を切に設定した場合においても異常発生時には強制的に発音する制御手段を備えた請求項４に記載の換気装置。
【請求項６】
人の有無を検出する人体検出手段を備え、人を検出していない時には音声案内の出力を停止する制御手段を備えた請求項１から５のいずれかに記載の換気装置。
【請求項７】
光度を検出する光度検出手段を備え、暗い時には音声案内の出力を停止する制御手段を備えた請求項１から６のいずれかに記載の換気装置。
【請求項８】
前記洗浄手段の異常を判断した場合に、異常内容を一時記憶メモリに記憶する制御手段を備えた請求項１から７に記載の換気装置。
【請求項９】
前記洗浄手段の異常を判断した場合に、異常内容を不揮発性記憶メモリに記憶する制御手段を備えた請求項１から８に記載の換気装置。
【発明の詳細な説明】
【技術分野】
【０００１】
本発明は、家庭の厨房に使用される換気装置のフィルター洗浄装置に関する。
【背景技術】
【０００２】
住宅の高気密化に伴って厨房における調理の際に発生する熱気や油煙を浄化して屋外に排出するレンジフードと呼ばれる換気装置が普及している。
【０００３】
このレンジフードには、排出する空気を浄化するための多孔質の素材、例えば金属メッシュのフィルターが装備されているが、レンジフードの使用経過に伴ってフィルターに油や塵埃が付着して換気性能が低下し、また、排気ファンの騒音が増大する。このため、使用者において定期的にフィルターをレンジフード本体から取り外し、水洗いすることが必要であった。この作業は、作業が繁雑で、且つ、手を汚すことから、フィルターを自動的に洗浄できるものが望まれており、この要望に応えるものとして、例えば特許文献１に示すようなものが提案されている。特許文献１に示すものは、フィルターを回転させてフィルターの洗浄を行うようにしたものである。
【特許文献１】特開平３−１６４６３９号公報
【発明の開示】
【発明が解決しようとする課題】
【０００４】
このような従来のフィルター洗浄装置では、使用者が洗浄を行う時期や洗浄を行うための手順や、誤使用により機器が途中停止した場合などの対応方法など分かりづらく、また、廃棄物溜の量を検出するためのセンサーや、回転駆動されるフィルターの回転数を検出するためのセンサー、油煙の量を測定するセンサーなど複数のセンサーを有することから装置が複雑になり機器の故障時における対応方法についても使用者にとって分かりづらいという課題があった。
【０００５】
本発明は、上記の課題を解決するものであり、塵埃とともに固形状に付着している油を除去するフィルター洗浄装置を搭載した換気装置において機器の状態を音声にて使用者に知らせることで誤使用や故障時の対応が容易にできるフィルター洗浄機能を搭載した換気装置を提供することを目的としている。
【課題を解決するための手段】
【０００６】
本発明の換気装置は上記目的を達成するために、厨房に設置される換気装置と、この換気装置の本体内に設置される油煙を取り除くフィルターと、前記フィルターを洗浄する洗浄手段と、前記換気装置と前記洗浄手段を制御する制御手段とを備え、前記制御手段は、あらかじめ記憶された音声信号を出力する音声発生手段と、前記音声信号を増幅する音声増幅手段と、増幅された音声を出力する音声出力手段と、使用者に伝達すべき案内があることを表示する音声案内表示手段と、音声発音操作を行う音声案内操作手段とを備え、前記洗浄手段の異常を判断した場合には、前記音声案内表示手段に表示を行い、前記音声案内操作手段の操作にて前記音声発生手段から音声信号を出力し前記音声増幅手段を通して増幅された信号が前記音声出力手段により音声となり報知するものである。
【０００７】
また、洗浄運転工程の進捗状況を音声で報知する制御手段を備えたものである。
【０００８】
また、音声案内の音量を設定するための音量設定手段を備えたものである。
【０００９】
また、音声案内を切に設定するための音量設定切手段を備えたものである。
【００１０】
また、音声案内を切に設定した場合においても異常発生時には強制的に発音する制御手段を備えたものである。
【００１１】
また、人の有無を検出する人体検出手段を備え、人を検出していない時には音声案内の出力を停止する制御手段を備えたものである。
【００１２】
また、洗浄手段の異常を判断した場合に、異常内容を一時記憶メモリに記憶する制御手段を備えたものである。
【００１３】
また、洗浄手段の異常を判断した場合に、異常内容を不揮発性記憶メモリに記憶する制御手段を備えたものである。
【発明の効果】
【００１４】
本発明によれば、使用者に音声にて機器の状態を知らせることができ、使用者にとって使い勝手の良いフィルター洗浄機能を搭載した換気装置を提供できる。
【発明を実施するための最良の形態】
【００１５】
本発明の請求項１記載の換気装置は、厨房に設置される換気装置と、この換気装置の本体内に設置される油煙を取り除くフィルターと、前記フィルターを洗浄する洗浄手段と、前記換気装置と前記洗浄手段を制御する制御手段とを備え、前記制御手段は、あらかじめ記憶された音声信号を出力する音声発生手段と、前記音声信号を増幅する音声増幅手段と、増幅された音声を出力する音声出力手段と、使用者に伝達すべき案内があることを表示する音声案内表示手段と、音声発音操作を行う音声案内操作手段とを備え、前記洗浄手段の異常を判断した場合には、前記音声案内表示手段に表示を行い、前記音声案内操作手段の操作にて前記音声発生手段から音声信号を出力し前記音声増幅手段を通して増幅された信号が前記音声出力手段により音声となり報知することを特徴としている。このことにより、洗浄運転において機器異常が発生した場合に、使用者は音声案内表示手段のＬＥＤ表示を確認して点灯していれば報知内容があると判断し、スイッチを押すことで異常内容を聞くことができる。
【００１６】
また、請求項２記載の換気装置は、洗浄運転工程の進捗状況を音声で報知する制御手段を備えたことを特徴としている。このことにより、使用者は、洗浄運転の進捗を容易に認識することができる。
【００１７】
また、請求項３記載の換気装置は、音声案内の音量を設定するための音量設定手段を備えたことを特徴としている。このことにより、使用者は、音声案内の音量が大きいと感じる場合には音量設定を小の側に設定し、音量が小さいと感じる場合には音量設定を大の側に設定することができる。
【００１８】
また、請求項４記載の換気装置は、音声案内を切に設定するための音量設定切手段を備えたことを特徴としている。このことにより、使用者は、音声案内が不要な場合には、音量設定切手段により切にすることができる。
【００１９】
また、請求項５記載の換気装置は、音声案内を切に設定した場合においても異常発生時には強制的に発音する制御手段を備えたことを特徴としている。このことにより、音声案内を切に設定した場合には、洗浄運転の進捗状況報知に関する報知を停止し、異常報知は出力することができる。
【００２０】
また、請求項６記載の換気装置は、人の有無を検出する人体検出手段を備え、人を検出していない時には音声案内の出力を停止する制御手段を備えたことを特徴としている。このことにより、音声案内を出力する場合に人体検出手段により人の有無を確認し人の存在が検出されない場合には音声案内の出力を停止させることができるので無駄な音声ガイドを防止することができる。
【００２１】
また、請求項７記載の換気装置は、光度を検出する光度検出手段を備え、暗い時には音声案内の出力を停止する制御手段を備えたことを特徴としている。このことにより、光度検出手段により、周囲が暗い場合には音声案内を停止させることができ夜間の報知を無くすことができる。そして、夜間に突然音声が発せられて使用者が驚くことを防止することができる。
【００２２】
また、請求項８記載の換気装置は、洗浄手段の異常を判断した場合に、異常内容を一時記憶メモリに記憶する制御手段を備えたことを特徴としている。このことにより、過去に発生した複数の異常内容を音声で聞き出すことができる。
【００２３】
また、請求項９記載の換気装置は、洗浄手段の異常を判断した場合に、異常内容を不揮発性記憶メモリに記憶する制御手段を備えたことを特徴としている。このことにより、電源が遮断しても異常内容の記憶が保存され、サービスマンが機器の点検、修理をする際に、過去の異常内容を聞き出すことができるのでメンテナンス性が向上することとなる。
【００２４】
以下、本発明の実施の形態について図面を参照しながら説明する。
【００２５】
（実施の形態１）
図１は、厨房に設置される換気装置としてのレンジフード１の構成を示す図である。レンジフード１本体は、室内の空気を排気する排気ファン２と、このファンを駆動するモータ３とを設ける。また、レンジフード１内には、排気ファン２の前方にレンジフード１の吸気口（図示せず）から吸い込んだ空気を通して、この空気に含まれる油汚れを取り除くフィルター４を設ける。
【００２６】
また、前記フィルター４は、空気の通過面に対して垂直に回転軸を有し、この回転軸にフィルター回転用モータ５が接続されて、前記回転軸の位置から略下半分を水槽６に浸漬させるように配置している。
【００２７】
そして図２に示すように、前記フィルター回転用モータ５には、このフィルター回転用モータ５の回転数を検知する回転数センサー１８が設けられている。
【００２８】
また、前記水槽６には、送水位方向を２方向に切替える切替弁１１から送られる水を水槽６内に給水する給水ノズル６ａと、前記切替弁１１の切替えにより洗浄水をフィルター４に噴射させる噴射ノズル７と、弁を閉じて水槽６の排水を停止させる排水弁１２と、水槽６内の水位を検出する水位センサー９と、フィルターを暖めるヒーター１３とを備えている。
【００２９】
すなわち、切替弁１１は、給水ノズル６ａと噴射ノズル７とに送水方向を切替えるものである。そして、切替弁１１に供給される洗浄水は、給水弁８、給水ポンプ１０を経て供給されるように接続されている。
【００３０】
給水弁８を開くことにより給水ポンプ１０から送られる洗浄水をフィルター４に噴霧するように構成されている。
【００３１】
そして、フィルター回転用モータ５と、回転数センサー１８と、水槽６と、給水ノズル６ａと、噴射ノズル７と、給水弁８と、水位センサー９と給水ポンプ１０と切替弁１１と、これらを制御する制御手段１５とでフィルター４を洗浄する洗浄手段１４を構成する。
【００３２】
また、制御手段１５は、警報表示手段１９と、あらかじめ記憶された音声信号を出力する音声発生手段２０と、使用者に伝達すべき案内があることを表示する音声案内表示手段２３と、音声発音操作を行う音声案内操作手段２４とに接続されている。
【００３３】
前記音声発生手段２０には、この音声発生手段の音声信号を増幅する音声増幅手段２１が接続され、さらに音声増幅手段２１には増幅された音声を出力する音声出力手段２２が接続されている。
【００３４】
すなわち、あらかじめ報知メッセージを録音しデータ化し、そのデータをメモリに記憶させ制御手段１５の指示により音声信号に変換して出力をする音声発生手段２０と、発生した音声信号の振幅を増幅する音声増幅手段２１と、増幅された音声信号を音声として出力するスピーカーなどの音声出力手段２２を備え、また、使用者に報知すべき案内があることを表示するＬＥＤなどの音声案内表示手段２３と、使用者が案内を聞く際に操作を行うための押しボタンスイッチなどの音声案内操作手段２４を備えた構成とする。
【００３５】
また、制御手段１５は、異常を判定して、音声案内を行うための動作をプログラムの形で記憶した記憶メモリ１５ａを有するものであり、そのアルゴリズムは図３のフローチャートに示すものである。すなわち、フィルター４を洗浄するアルゴリズムを有し、フィルター回転用モータ５と、給水ノズル６ａと、噴射ノズル７と、給水弁８と、給水ポンプ１０と、切替弁１１とを制御して、それぞれの制御出力に対し水位センサー９と回転数センサー１８の入力信号を検出し、洗浄動作の判定を行うアルゴリズムを有するものである。そして、前記アルゴリズムのなかで、例えば給水弁８を開き給水ポンプ１０を運転して水槽６に洗浄水を一定時間送水しても水槽６の水位が上がらず水位センサー９が水を検出できないことで給水系統の異常を判断できる。また、フィルター回転用モータ５を運転しているにも関わらず回転数センサー１８の検知する回転数が所定の値に達しないことをもってフィルター４の回転駆動の異常を判断することができる。
【００３６】
以下、図２および図３を参照しながら動作を説明する。
【００３７】
換気運転時には、モータ３を運転することでフィルター４を通して外部に汚れた空気が排出される。このフィルター４は洗浄運転時にはフィルター回転用モータ５にて駆動される。
【００３８】
そして、制御手段１５は、以下のように、異常の判定を行い音声案内表示手段２３に表示を行うものである。
【００３９】
図３に示すように、まずＳ１０１で異常が発生しているか否かを判定する。異常が発生していない場合は、Ｓ１０２に進み音声案内表示手段２３のＬＥＤを消灯する。異常が発生している場合は、Ｓ１０３に進み音声案内表示手段２３のＬＥＤを点灯する。次にＳ１０４に進み、使用者が音声案内操作手段２４のスイッチを押したか否かを確認する。スイッチが押された場合にはＳ１０５に進み音声発生手段２０に異常内容を知らせる音声信号を出力するように指示を出力する。音声発生手段２０は、制御手段１５の指示により音声信号を出力し、音声信号は音声増幅手段２１により増幅されてスピーカーから出力される。つまり、使用者は音声案内表示手段２３のＬＥＤ表示を確認して点灯していれば報知内容があると判断し、スイッチを押すことで異常内容を聞くことができる。使用者の意思でスイッチ操作をすることにより任意の時に何度でも内容を聞くことができる。
【００４０】
以上説明したように本発明の換気装置は、異常が発生し報知内容がある場合には音声案内表示手段２３に表示を行い、使用者が、音声案内操作手段２４を操作することにより異常内容を報知するようにしたものである。
【００４１】
なお、本実施の形態での音声発生手段２０は音声合成方式であっても良い。
【００４２】
（実施の形態２）
図４は、本発明の実施の形態２の電気回路を示す図である。実施の形態１の構成に加えて制御手段１５に音声案内の音量を設定するための音量設定手段２５と、音声案内を切に設定するための音量設定切手段２６を接続し、さらに音声増幅手段２１の増幅率を制御する信号線を接続した構成とする。また、図５（ａ）は音量設定手段２５の一例として示したスイッチであり、（ｂ）は音量設定切手段２６の一例として示したスイッチである。図６は、制御手段１５の動作を示したフローチャートであり、記憶メモリ１５ａに記憶されたプログラムの形で実現される。また、図１０は、洗浄工程の一例を示す表である。洗浄運転は、図１０に示す工程が順次実行されることにより進行する。まず、給水工程では排水弁１２は閉じた状態で給水弁８を開け、給水ポンプ１０を運転し洗浄水を水槽６にくみ上げる。水位センサー９にて満水を判定した場合には、給水ポンプ１０を停止し給水弁８を閉じる。次に、浸漬洗浄工程では、フィルター回転用モータ５を低速運転しフィルター４を回転させることで、フィルター４についた塵埃や付着している油を洗い流す。一定時間経過後、フィルター回転用モータ５を停止させ、排水弁１２を開けて水槽６に貯められた洗浄水の排水を行う。排水終了後、ヒーター１３を加熱しフィルターに固着した油汚れを落としやすくする。次にフィルター回転用モータ５を高速運転するとともに切替弁１１を噴射側に切り替え、給水弁８を開け給水ポンプ１０を運転し噴射ノズル７からフィルターに向けて洗浄水を高速噴射する。高速噴射により、ヒーター１３の加熱により溶解した油汚れが落ちるとともに、フィルターに詰まった糸くず状の塵を洗い落とすことができる。最後にヒーター１３にてフィルターを加熱することでフィルターを乾燥させることができる。このように洗浄工程が進む毎に制御手段１５は、実行中の工程を音声発生手段２０に音声信号を出力するように指示を出力することで洗浄運転の進捗を報知する。使用者は、音声にて報知されることで洗浄運転の進捗を容易に認識することができる。
【００４３】
さらに、図４、図５および図６を参照しながら動作を説明する。制御手段１５は、音声出力の必要性が発生した際に、まずＳ２０１で音声機能が入りに設定されているか否かを判定する。音声機能が入りに設定されている場合は、Ｓ２０２に進み音量設定手段２５の設定状態を読み出しＳ２０３に進む。Ｓ２０３では、読み出した音量設定に基づき音声増幅手段２１に増幅率の指示を出力する。次にＳ２０４に進み、音声発生手段２０に音声信号の出力を指示する。またＳ２０１で音声機能が切に設定されている場合はＳ２０５に進む。Ｓ２０５では、音声内容が異常報知に関するか否かを判定する。異常報知に関する場合はＳ２０２に進み、上記と同じフローで音量設定をした後、音声出力を行う。一方、異常報知に関しない場合は、音声出力を行わないで終了するようにする。
【００４４】
使用者は、音声案内の音量が大きいと感じる場合には音量設定を小の側に設定し、音量が小さいと感じる場合には音量設定を大の側に設定することで音量の設定をすることができる。また、音声案内が不要な場合には、音量設定切手段２６により切にすることができる。洗浄運転の進捗状況報知や、機器の使用方法に関する報知は、使い慣れた使用者にとっては煩わしく感じる場合もある。したがって音声案内機能を切にすることで煩わしさを解消することができる。しかし、音声案内を切に設定した場合、異常報知も切となってしまっては使用者は機器の異常を把握することができない。したがって、音声案内を切に設定した場合には、洗浄運転の進捗状況報知に関する報知を停止し、異常報知は出力することができる。
【００４５】
以上説明したように本発明の換気装置は、使用者の好みによって音声案内の音量を設定でき、また、音声案内が不要な使用者は音声案内を切ることができる。音声案内を切った場合でも異常が発生した場合には異常内容を報知することができる。
【００４６】
（実施の形態３）
図７は、本発明の実施の形態３の電気回路を示す図である。制御手段１５に人の有無を検出する人体検出手段２７ａを接続した構成とする。人体検出手段２７ａは、例えば焦電型赤外線センサー、超音波式センサーなどで構成される。制御手段１５は、音声案内を出力する場合に人体検出手段２７ａにより人の有無を確認し人の存在が検出されない場合には音声案内の出力を停止させるようにする。このようにすることで人がいない場合の無駄な報知を無くすことができる。
【００４７】
また、光度検出手段２７ｂを制御手段１５に接続した構成とする。光度検出手段２７ｂは、フォトダイオードなどで構成される。制御手段１５に光度検出手段を接続することで、周囲が暗い場合には音声案内を停止させることができ夜間の報知を無くすことができる。夜間に突然音声が発せられて使用者が驚くことを防止することができる。
【００４８】
（実施の形態４）
図８は、本発明の実施の形態４の異常発生履歴のメモリ内容を示す図である。図１０に示す洗浄工程の各工程の構成要素のうちどの部位に異常があるかを、制御手段１５の内部に備えられた一時記憶メモリ１５ｂに発生した順序に過去１０個分の異常内容を記憶するようにする。使用者は、音声案内表示手段２３の表示点灯している場合に、音声案内操作手段２４のスイッチを操作することで過去に発生した異常内容を順次聞き出すことができる。音声案内表示手段２３の表示が１個のＬＥＤなどの簡素な方法で構成される場合は、過去の異常内容を報知するためには、点滅の回数や時間を可変する方法で報知するしかなく、非常に分かりにくいものであった。しかし、実施の形態４の方法によれば、複数の異常内容を音声で聞き出すことができるので分かり易い報知を行うことができる。
【００４９】
図９は、制御手段１５に不揮発性記憶メモリ２８を接続した構成とし、異常内容の記憶を不揮発性記憶メモリ２８にするようにする。こうすることにより電源が遮断しても異常内容の記憶が保存され、サービスマンが機器の点検、修理をする際に、過去の異常内容を聞き出すことができるのでメンテナンス性が向上することとなる。
【産業上の利用可能性】
【００５０】
本発明の換気装置は、使用方法の容易な洗浄装置を提供できるので、家庭用以外の例えば業務用レンジフードの用途や、工場などの油煙除去装置などの用途にも適用できる。
【図面の簡単な説明】
【００５１】
【図１】本発明の実施の形態１のレンジフードの構成を示す図（（ａ）正面図、（ｂ）側断面図）
【図２】同、詳細な構成を示す図
【図３】同、制御手段の一連の動作を説明するためのフローチャート
【図４】本発明の実施の形態２の詳細な構成を示す図
【図５】同、スイッチを示す図（（ａ）音量設定スイッチを示す図、（ｂ）音量切スイッチを示す図）
【図６】同、動作を説明するためのフローチャート
【図７】本発明の実施の形態３の詳細な構成を示す図
【図８】本発明の実施の形態４の異常発生履歴メモリを示す図
【図９】同、詳細な構成を示す図
【図１０】同、主要な工程と構成要素の動作を示す図
【符号の説明】
【００５２】
１      レンジフード
２      排気ファン
３      モータ
４      フィルター
５      フィルター回転用モータ
６      水槽
７      噴射ノズル
８      給水弁
９      水位センサー
１０    給水ポンプ
１１    切替弁
１２    排水弁
１３    ヒーター
１４    洗浄手段
１５    制御手段
１５ａ  記憶メモリ
１５ｂ  一時記憶メモリ
１８    回転数センサー
１９    警報表示手段
２０    音声発生手段
２１    音声増幅手段
２２    音声出力手段
２３    音声案内表示手段
２４    音声案内操作手段
２５    音量設定手段
２６    音量設定切手段
２７ａ  人体検出手段
２７ｂ  光度検出手段
２８    不揮発性記憶メモリ
【図１】
2010139086.tif 000003
【図２】
2010139086.tif 000004
【図３】
2010139086.tif 000005
【図４】
2010139086.tif 000006
【図５】
2010139086.tif 000007
【図６】
2010139086.tif 000008
【図７】
2010139086.tif 000009
【図８】
2010139086.tif 000010
【図９】
2010139086.tif 000011
【図１０】
2010139086.tif 000012